(57)【要約】【課題】表示装置の周囲の環境に応じて、その周囲の環境に適した情報などを表示装置に表示することを可能とする表示部制御装置、その表示部制御装置を備えた表示装置、及び、その表示部の制御方法を提供すること。【解決手段】表示部制御装置は、主電源と、補助電源１２と、主電源の出力を検出する第１の検出部４９と、周囲の明るさを検出する第２の検出部４８と、を備え、第１の検出部４９の検出結果、且つ、第２の検出部４８の検出結果に基づいて、主電源による駆動から補助電源１２による駆動に切り替えるとともに、表示部３１の表示を変更する。【選択図】  図４
2016057398.tif 000002
【特許請求の範囲】
【請求項１】
主電源と、
補助電源と、
前記主電源の出力を検出する第１の検出部と、
周囲の明るさを検出する第２の検出部と、
を備え、
前記第１の検出部の検出結果、且つ、前記第２の検出部の検出結果に基づいて、前記主電源による駆動から前記補助電源による駆動に切り替えるとともに、表示部の表示を変更することを特徴とする表示部制御装置。
【請求項２】
前記第１の検出部は、前記主電源の検出出力が閾値以下になることで前記主電源の遮断を検出し、
前記第１の検出部が前記主電源の遮断を検出し、且つ、前記第２の検出部の検出する周囲の明るさが閾値以下の場合、前記主電源による駆動から前記補助電源による駆動に切り替えるとともに、前記表示部の表示を変更することを特徴とする請求項１に記載の表示部制御装置。
【請求項３】
前記第２の検出部は照度センサを含み、
前記表示部の表示の変更が、前記主電源によって前記表示部に表示されている第１の表示データを前記補助電源によって前記表示部に表示する第２の表示データに切り替えるものであることを特徴とする請求項２に記載の表示部制御装置。
【請求項４】
前記第２の表示データは、エマージェンシー・メッセージであることを特徴とする請求項３に記載の表示部制御装置。
【請求項５】
前記表示部の表示の変更は、前記第１の検出部の前記主電源の遮断を検出したタイミングと前記照度センサの検出する周囲の明るさが閾値以下となったタイミングとが略同一である場合に行うことを特徴とする請求項３または請求項４に記載の表示部制御装置。
【請求項６】
表示部と、
請求項１から請求項５のいずれか１項に記載の表示部制御装置と、を備えることを特徴とする表示装置。
【請求項７】
前記表示部に表示を投影する投影部を備えることを特徴とする請求項６に記載の表示装置。
【請求項８】
主電源の出力を検出するステップと、
周囲の明るさを検出するステップと、
前記主電源の検出された出力が閾値以下であり、且つ、検出された周囲の明るさが閾値以下である場合に、前記主電源を補助電源に切り換えるとともに表示部の表示を変更するステップと、を含むことを特徴とする表示部の制御方法。
【発明の詳細な説明】
【技術分野】
【０００１】
本発明は、投影部が表示部に表示を投影するのを制御する表示部制御装置、その表示部制御装置を備えた表示装置およびその表示部の制御方法に関する。
【背景技術】
【０００２】
従来、画像出力装置と、反射部材と、スクリーンと、を有する画像表示装置が提案されている（例えば、特許文献１参照）。
特許文献１に記載の画像表示装置は、閲覧者に対する印象を高めるために、例えば、コンテンツが人物像を投影して、その人物像が商品説明などを行うもののような場合、スクリーンの形状をその人物像に合わせた形状とすることで、スクリーンの余計な部分が見えず、人物像がスクリーンに投影されているという印象を軽減し、人物像のリアリティを出したりすることができるものである。
【先行技術文献】
【特許文献】
【０００３】
【特許文献１】特開２０１１−１５０２２１号公報
【発明の概要】
【発明が解決しようとする課題】
【０００４】
ところで、前述したような画像表示装置は、一般に、人目につきやすい所に設置される場合が多く、その画像表示装置が設置されている周囲の環境に応じて、コンテンツとは異なる重要な情報等を自動的に表示できれば、画像表示装置の活用範囲を、さらに広げることができる。
【０００５】
本発明は、上記の事情に鑑みされたもので、表示装置の周囲の環境に応じて、その周囲の環境に適した情報などを表示装置に表示することを可能とする表示部制御装置、その表示部制御装置を備えた表示装置、及びその表示部の制御方法を提供することを目的とする。
【課題を解決するための手段】
【０００６】
上記目的を達成するために、本発明は、以下の構成により把握される。
（１）本発明の表示部制御装置は、主電源と、補助電源と、前記主電源の出力を検出する第１の検出部と、周囲の明るさを検出する第２の検出部と、を備え、前記第１の検出部の検出結果、且つ、前記第２の検出部の検出結果に基づいて、前記主電源による駆動から前記補助電源による駆動に切り替えるとともに、表示部の表示を変更する。
【０００７】
（２）本発明の表示装置は、表示部と、少なくとも、上記（１）の構成を備えた表示部制御装置と、を備える。
【０００８】
（３）本発明の表示部の制御方法は、主電源の出力を検出するステップと、周囲の明るさを検出するステップと、前記主電源の検出された出力が閾値以下であり、且つ、検出された周囲の明るさが閾値以下である場合に、前記主電源を補助電源に切り換えるとともに表示部の表示を変更するステップと、を含む。
【発明の効果】
【０００９】
本発明によれば、表示装置の周囲の環境に応じて、その周囲の環境に適した情報などを表示装置に表示することを可能とする表示部制御装置、その表示部制御装置を備えた表示装置、及び、その表示部の制御方法を提供することができる。
【図面の簡単な説明】
【００１０】
【図１】本発明に係る実施形態の表示装置の全体斜視図である。
【図２】図１中ＩＩ−ＩＩ位置で切断した投影機器の断面図である。
【図３】本発明に係る実施形態の表示装置の主制御構成を示すブロック図である。
【図４】本発明に係る実施形態の表示装置に第２の表示データによる表示を行っている状態を示す全体斜視図である。
【発明を実施するための形態】
【００１１】
以下、本発明に係る実施形態の表示装置について、図面を用いて説明する。
図１は、本発明に係る実施形態の表示装置１０の斜視図であり、図１に示す表示装置１０は、通常、コンテンツなどを再生するのに用いられる。
【００１２】
例えば、店舗や展示会会場などに設置され、商品の説明、案内、アンケート等のコンテンツを再生するものであってもよいし、介護施設等に設置され、脳活性化のための間題を出題するコンテンツを再生するものであってもよく、その使用用途は特に限定されない。
なお、本実施形態では、スクリーン３１に人物像が映し出され、その人物像が何等かの説明や案内を行うコンテンツを再生するのに適したものとして、図１に示すように、人型のスクリーン３１とした場合を示しているが、スクリーン３１の形状などは、これに限定されるものではない。
【００１３】
表示装置１０は、全体略矩形箱状の筐体２０を有する。
表示装置１０は、店舗や展示会場の商用電源を主電源とするもので、その商用電源からの電力の供給を受けるためのコンセント（図示せず）を備えた電源コード１１を備えるとともに、主電源からの電力の供給が断たれたときのための補助電源（バッテリなど）１２も備えている。
なお、表示装置１０においては、商用電源から供給された電力を表示装置１０の駆動に適した状態にするための電源アダプタなどの部分を指して主電源と呼ぶ。
【００１４】
また、筐体２０の一方の端部（図１において右端）には、スクリーン取付部３２を介して後述する表示部であるスクリーン３１が交換可能に取り付けられており、コンテンツに応じて適切な形状のスクリーン３１に交換することが可能になっている。
なお、以下の説明においては、筐体２０を机等に載置した際の上方（上側）を「上方（上側）」とし、スクリーン３１側を「前方（前側）」とし、スクリーン３１と反対側を「後方（後側）」として説明する。
【００１５】
筐体２０は、前後左右を囲う側板２１を有し、上方に開口部を有している。
そして、図２に示すように、開口部には、パネル２３が取り付けられており、パネル２３の中央は光を透過する透明部２３１とされている。
なお、本実施形態では、パネル２３の透明部２３１以外の部分が、黒色印刷等により、筐体２０の内部が見えないようにされているが、これに限定されるものではなく、パネル２３全部を透明にしてもよい。
【００１６】
図２に示すように、筐体２０の内部における略中央には、投影光を生成して筐体２０の後方に向けて射出する投影部２２が設けられている。
そして、筐体２０の後方には、凹面の反射面を有する第１のミラー２４が設けられており、第１のミラー２４が、投影部２２からの投影光を、平面の反射面を有する第２のミラー２５へ向けて反射し、さらに、投影光は、第２のミラー２５でスクリーン３１へ向けて反射される。
【００１７】
従って、投影部２２から発せられた投影光（画像）ＬＢ１は、第１のミラー２４で下方に向けて反射された後、第２のミラー２５で上方に向けて反射され、パネル２３の透明部２３１を通って筐体２０の外部に設けられているスクリーン３１に投影される（投影光ＬＢ２）。
このスクリーン３１は、例えばアクリル板などの人型に成形された一枚の透光板の後方に、フィルム状のフレネルレンズが積層された背面投影用のフィルムスクリーンが貼付されて構成されたスクリーンである。
したがって、スクリーン３１の後方側に斜め下方向から投影された投影光（画像）ＬＢ２は、フレネルレンズによって屈折されてスクリーン３１の前方側に投影方向が変化する。
【００１８】
そして、アクリル板内には、アクリル板を透過する投影光が画像としてきれいに認識できるように光を散乱する散乱微粒子が分散されているのでアクリル板上に画像が表示され、図１に示すように、スクリーン３１の前方側からスクリーン３１を見るようにすることで投影された画像を見ることができるようになっている。
【００１９】
また、投影される画像を映すためのスクリーン３１は、スクリーン取付部３２により回動可能に支持されており、使用時にはスクリーン３１を立てた状態にでき、使用しない時は、筐体２０側にスクリーン３１を倒した状態にできる。
このため、表示装置１０を移動する時などに、スクリーン３１が持ち運びの邪魔にならないように、筐体２０側にスクリーン３１を倒して収納することができる。
【００２０】
次に、図３に示すブロック図を参照しながら、本発明に係る実施形態の表示装置１０の主な構成について、さらに説明する。
表示装置１０は、主に、投影部２２とスクリーン部３０とを備えている。
【００２１】
（投影部）
投影部２２は、制御部４１と、プロジェクタ４２と、記憶部４３と、通信部４４と、を主に備えており、プロジェクタ４２、記憶部４３、通信部４４は、各々制御部４１に接続されている。
【００２２】
制御部４１は、記憶部４３に記億されている各種のプログラムを実行して所定の演算や各部の制御を行うＣＰＵとプログラム実行時の作業領域となるメモリとを備えている(いずれも図示略)。
そして、制御部４１は、記憶部４３のプログラム記憶部４３１に記憶されているプログラムとの協働により、決定手段、変形手段、表示制御手段として機能する。
【００２３】
プロジェクタ４２は、制御部４１から出力された画像データを映像光に変換してスクリーン部３０の表示部であるスクリーン３１に向けて照射する投影装置である。
例えば、プロジェクタ４２としては、アレイ状に配列された複数個（ＸＧＡの場合、横１０２４画素×縦７６８画素)の微小ミラーの各傾斜角度を個々に高速でオン/オフ動作して表示動作することでその反射光により光像を形成する表示素子であるＤＭＤ（デジタルマイクロミラーデバイス）を利用したＤＬＰ（Digital Light Processing）（登録商標）プロジェクタが適用可能である。
そして、本実施形態のように、表示対象物として画像中の人物を表示する場合には、人物領域に対応する位置の微小ミラーをオンし、その他の領域をオフすることで、人物のみを投影(表示)することが可能となる。
【００２４】
記憶部４３は、ＨＤＤや不揮発性の半導体メモリ等により構成されており、プログラム記憶部４３1、画像データ記憶部４３２、音データ記憶部４３３等が設けられている。
例えば、プログラム記憶部４３１には、制御部４１で実行されるシステムプログラムや各種処理プログラム、これらのプログラムの実行に必要なデータ等が記憶されている。
また、画像データ記憶部４３２には、コンテンツ再生時において表示対象となる画像データなどが記憶されている。
さらに、音データ記憶部４３３には、コンテンツの音出力用のテキストデータが記憶されている。
【００２５】
通信部４４は、例えば、外部の情報端末（図示省略）などとの通信を可能とし、データ送受信などを行う。
具体的な通信方式は、特に限定されるものではなく、例えば、無線ＬＡＮ、Bluetooth（登録商標）、ＮＦＣ等による無線接続であってもよいし、例えば、ＵＳＢケーブル等を用いた有線接続であってもよい。
通信部４４は、例えば、スクリーン３１に映し出す新しいコンテンツなどのデータを画像データ記憶部４３２や音データ記憶部４３３に取り込むときのデータ受信手段として機能する。
【００２６】
（スクリーン部）
スクリーン部３０は、操作部４５と、音出力部４６と、人感センサ４７と、照度センサ４８と、検出部４９と、を主に備えており、操作部４５、音出力部４６、人感センサ４７、照度センサ４８、検出部４９は、各々制御部４１に接続されている。
【００２７】
操作部４５は、コンテンツの再生指示や設定の変更などを行う部分であり、例えば、押しボタン式のスイッチやタッチパネルなどで構成される。
音出力部４６は、音を出力するスピーカ等であり、コンテンツなどを再生するときの音を出力する。
【００２８】
人感センサ４７は、人が近づいたことを検出する部分であり、例えば、人感センサ４７が、人が近づいたことを感知すると、人が近づいたことを知らせる信号を制御部４１に送り、制御部４１は、その信号を受け取るとコンテンツの再生を開始させることなどができる。
逆に、所定時間以上、人感センサ４７が人を感知していない場合、コンテンツの再生を停止し、省電力化を図ることなどもできる。
【００２９】
照度センサ４８は、周囲の明るさを検出する部分であり、周囲の明るさが閾値以下になると制御部４１に周囲の明るさが閾値以下になったことを報知する。
検出部４９は、表示装置１０の主電源となる電源アダプタなどの電力出力を検出し、その検出出力が閾値以下になることで主電源の遮断を検出し、主電源が遮断されたことを制御部４１に報知する。
【００３０】
次に、上記構成の本発明に係る実施形態の表示装置１０の動作などを説明しながら、さらに、詳細に説明する。
表示装置１０は、通常、従来と同様に動作し、指定されているコンテンツなどの映像をスクリーン３１に映し出す。
【００３１】
一方、検出部４９の検出出力が閾値以下になり、主電源の遮断が検出された場合には、制御部４１は、照度センサ４８の出力に応じて、表示部であるスクリーン３１に表示する表示を変更するか否かを判断する。
【００３２】
例えば、主電源を喪失する場合には、大きく２つのパターンが想定される。
１つ目は、誰かが表示装置１０の電源ＯＦＦの操作を行うことなく、コンセントが抜かれたような場合であり、２つ目は、主電源自体が遮断されている場合である。
ここで、１つ目の場合には、表示装置１０の主電源が喪失するだけであるので、表示装置１０の周囲にある電灯などの電源は喪失しない。
したがって、表示装置１０の照度センサ４８が測定する周囲の明るさは変化しない。
【００３３】
一方、２つ目の場合、例えば、火災などでブレーカが落ちて主電源自体が遮断されたり、地震などで電力会社からの電力供給自体が停止しているような場合には、表示装置１０以外の周囲の電灯なども主電源を喪失するので、表示装置１０の周囲が暗くなる。
このような状況が起きると、照度センサ４８が測定する周囲の明るさは閾値以下になり、照度センサ４８から制御部４１に周囲の明るさが閾値以下になったことが報知される。
【００３４】
このように、主電源の遮断と合わせて周囲の明るさが暗くなった場合、制御部４１は、主電源による駆動から補助電源１２による駆動に切り替えるとともに、表示部であるスクリーン３１に図４に示すように、避難誘導などを行うための緊急時の表示（エマージェンシー・メッセージ）を表示する。
【００３５】
つまり、装置を駆動するための主電源（電源アダプタなど）と、補助電源１２と、周囲の環境を判断するための判断材料を得るための検出部４９及び照度センサ４８と、表示部の表示の変更などを制御する制御部４１とが、協業することで表示部の表示を通常の第１の表示データによるコンテンツなどの表示から第２の表示データによる避難誘導などの表示に変更を行う表示部制御装置を構成している。
【００３６】
ここで、スクリーン３１の表示の変更は、検出部４９が主電源の遮断を検出したタイミングと、照度センサ４８が検出した周囲の明るさが閾値以下となったタイミングとが略同一である場合に行うのが好適である。
これは、コンセントが抜けて表示装置１０の主電源の電力供給が遮断されているだけのような状況で、たまたま、その表示装置１０の主電源の電力供給が遮断されている間に、例えば、照度センサ４８に人の影などが重なり、明るさの測定が閾値以下になるような場合も考えられ、このような状況のときには避難誘導の表示を行う必要はなく、かえって、避難誘導の表示が出ることで表示装置１０の近くにいる者を驚かせてしまうことになる。
【００３７】
一方、前述したような避難誘導などの表示を行うような必要がある状況では、表示装置１０やその周囲にある電灯などの電気機器の主電源は、ほぼ同時に遮断状態となるので、検出部４９が主電源の遮断を検出するタイミングと、照度センサ４８が検出する周囲の明るさが閾値以下となるタイミングとが略同一になると考えられる。
【００３８】
このことから、検出部４９が主電源の遮断を検出したタイミングと、照度センサ４８が検出した周囲の明るさが閾値以下となったタイミングとが略同一である場合に、制御部４１が、主電源による駆動から補助電源１２による駆動に切り替えるとともに、その補助電源１２によって表示部であるスクリーン３１に表示する表示を主電源によって表示されていたコンテンツなどの第１の表示データによる表示から避難誘導などを表示する第２の表示データによる表示に変更するようにするのが好適である。
【００３９】
このようにすれば、緊急事態でないのに避難誘導などを表示する第２の表示データによる表示が行われることを回避することができるとともに、高い精度で避難誘導などを表示する第２の表示データによる表示が必要なタイミングで第２の表示データによる表示が行えるようになる。
【００４０】
このように、本発明によれば、表示装置１０の周囲の環境が災害などで避難等が必要である場合に、その周囲の環境に適した避難誘導などを行うための緊急時の表示（エマージェンシー・メッセージ）を表示装置に表示することが可能である。
特に、夜間で電灯などが消えると、周りの状況がわからなくなり、どのように避難すれば良いのかが分からなくなる場合に、このような避難誘導は特に重要であるといえ、本発明は、このような状況に対して好適に用いることができる。
【００４１】
以上、具体的な実施形態に基づき、本発明の説明を行ってきたが、本発明は上記した実施形態に限定されるものではなく、様々な変形や改良などが可能である。
図４では、最も一般的な避難経路の方向を示すような表示をスクリーン３１に行っている場合を示しているが、このようなものに限定されるものではない。
【００４２】
例えば、表示装置１０の通信部２６に気象庁が発信する緊急地震速報が受信できるようにしておけば、表示装置１０の避難誘導などを表示する第２の表示データとして地震のときの避難誘導に適した表示を行うようにすることが可能である。
また、大雨洪水警報などを受信できるようにしておけば、それに適した避難指示などを表示することも可能である。
このような情報を取得する場合、周囲の主電源も遮断されることが予想されることから、通信部２６を長距離の無線通信ができるものにしておくことが望ましい。
【００４３】
さらに、表示部の表示を変更するのに合わせてその表示に適した音を音出力部から出すようにしてもよい。
加えて、上記実施形態では、検出部４９及び照度センサ４８が閾値以下の場合に、それを制御部４１に報知する場合で説明を行ったが、検出部４９及び照度センサ４８は、測定結果を制御部４１に送るだけとし、閾値以下であるか否かの判断を制御部４１が行うようにしてもよい。
この場合、検出部４９と制御部４１が協業することで主電源の遮断を検出する検出部を構成するものとなる。
このように、本発明の技術的範囲には、本発明の目的が達成される範囲での様々な変形や改良などが含まれるものである。
【００４４】
以下に、この出願の願書に最初に添付した特許請求の範囲に記載した発明を付記する。付記に記載した請求項の項番は、この出願の願書に最初に添付した特許請求の範囲の通りである。
＜請求項１＞
主電源と、
補助電源と、
前記主電源の出力を検出する第１の検出部と、
周囲の明るさを検出する第２の検出部と、
を備え、
前記第１の検出部の検出結果、且つ、前記第２の検出部の検出結果に基づいて、前記主電源による駆動から前記補助電源による駆動に切り替えるとともに、表示部の表示を変更することを特徴とする表示部制御装置。
＜請求項２＞
前記第１の検出部は、前記主電源の検出出力が閾値以下になることで前記主電源の遮断を検出し、
前記第１の検出部が前記主電源の遮断を検出し、且つ、前記第２の検出部の検出する周囲の明るさが閾値以下の場合、前記主電源による駆動から前記補助電源による駆動に切り替えるとともに、前記表示部の表示を変更することを特徴とする請求項１に記載の表示部制御装置。
＜請求項３＞
前記第２の検出部は照度センサを含み、
前記表示部の表示の変更が、前記主電源によって前記表示部に表示されている第１の表示データを前記補助電源によって前記表示部に表示する第２の表示データに切り替えるものであることを特徴とする請求項２に記載の表示部制御装置。
＜請求項４＞
前記第２の表示データは、エマージェンシー・メッセージであることを特徴とする請求項３に記載の表示部制御装置。
＜請求項５＞
前記表示部の表示の変更は、前記第１の検出部の前記主電源の遮断を検出したタイミングと前記照度センサの検出する周囲の明るさが閾値以下となったタイミングとが略同一である場合に行うことを特徴とする請求項３または請求項４に記載の表示部制御装置。
＜請求項６＞
表示部と、
請求項１から請求項５のいずれか１項に記載の表示部制御装置と、を備えることを特徴とする表示装置。
＜請求項７＞
前記表示部に表示を投影する投影部を備えることを特徴とする請求項６に記載の表示装置。
＜請求項８＞
主電源の出力を検出するステップと、
周囲の明るさを検出するステップと、
前記主電源の検出された出力が閾値以下であり、且つ、検出された周囲の明るさが閾値以下である場合に、前記主電源を補助電源に切り換えるとともに表示部の表示を変更するステップと、を含むことを特徴とする表示部の制御方法。
【符号の説明】
【００４５】
１０  表示装置
１１  電源コード
１２  バッテリ（補助電源）
３１  スクリーン（表示部）
２２  投影部
４８  照度センサ
４９  検出部
【図１】
2016057398.tif 000003
【図２】
2016057398.tif 000004
【図３】
2016057398.tif 000005
【図４】
2016057398.tif 000006